(57)【要約】【課題】内部に湿気が溜まることなく、しかも、洗面室に設置する場合に、洗面室に、照明が遮られる部位が生じたり、風通しの悪い部位が生じたりするのを防止できる洗面化粧台を提供する。【解決手段】天板２と、この天板２に設けられた洗面ボール３と、天板２を支持する支持台４とを備え、支持台４が、複数のフレーム６から３を組み立ててなる枠体４によって構成され、天板２および洗面ボール３が透光性を有している。したがって、内部に湿気が溜まることなく、しかも、洗面室に設置する場合に、洗面室に、照明が遮られる部位が生じたり、風通しの悪い部位が生じたりするのを防止できる。【選択図】図１
2006325941.tif 000002
【特許請求の範囲】
【請求項１】
天板と、この天板に設けられた洗面ボールと、前記天板を支持する支持台とを備えた洗面化粧台において、
前記支持台が、複数のフレームを組み立ててなる枠体によって構成されており、
前記天板および洗面ボールが透光性を有していることを特徴とする洗面化粧台。
【請求項２】
請求項１に記載の洗面化粧台において、
前記枠体の内側には、透光性を有する棚板が設けられていることを特徴とする洗面化粧台。
【請求項３】
請求項２に記載の洗面化粧台において、
前記天板、洗面ボール、棚板が透明であることを特徴とする洗面化粧台。
【請求項４】
請求項２に記載の洗面化粧台において、
前記棚板の奥側の縁部と、前記支持台の背面側との間に隙間が設けられており、
前記洗面ボールの下部から下方に延出する排水管が前記隙間を通して、床側に延出していることを特徴とする洗面化粧台。
【請求項５】
請求項１〜４のいずれか一項に記載の洗面化粧台において、
前記支持台の前面側には、水平バーが支持台を構成する一対の縦フレームに架設されていることを特徴とする洗面化粧台。
【発明の詳細な説明】
【技術分野】
【０００１】
本発明は、洗面化粧台に関する。
【背景技術】
【０００２】
洗面化粧台の一例として、特許文献１に記載のものが知られている。この特許文献１に記載の洗面化粧台では、側板、背板、開閉可能な前面板で箱状のキャビネットを構成し、このキャビネットによって、天板や洗面ボールを支持するようにしている。
【特許文献１】特開２００４−２４７６６号公報
【発明の開示】
【発明が解決しようとする課題】
【０００３】
ところで、上記のような従来の洗面化粧台では、キャビネットの内部が側板、背板、前面板等で覆われ、かつ内部に給水管や排水管が配設されているので、内部に湿気が溜まり易いという問題がある。
また、洗面化粧台を洗面室に設置する場合、洗面化粧台によって洗面室に、照明が遮られる部位が生じたり、風通しの悪い部位が生じたりする。
【０００４】
本発明は上記事情に鑑みてなされたもので、内部に湿気が溜まることなく、しかも、洗面室に設置する場合に、洗面室に、照明が遮られる部位が生じたり、風通しの悪い部位が生じたりするのを防止できる洗面化粧台を提供することを課題としている。
【課題を解決するための手段】
【０００５】
上記課題を解決するために、請求項１に記載の発明は、例えば図１〜図３に示すように、天板２と、この天板２に設けられた洗面ボール３と、前記天板２を支持する支持台４とを備えた洗面化粧台において、
前記支持台４が、複数のフレーム６から１３を組み立ててなる枠体４によって構成されており、
前記天板２および洗面ボール３が透光性を有していることを特徴とする。
【０００６】
天板２および洗面ボール２は、透明なガラスや樹脂等で形成されていてもよく、透明ではないが、透光性を有するすりガラス等のガラスや樹脂で形成されていてもよい。
【０００７】
請求項１に記載の発明によれば、天板２を支持する支持台４が複数のフレーム６を組み立ててなる枠体４によって構成されているので、この支持台４には側板、背板、前面板等がなく、しかも、天板および洗面ボールが透光性を有しているので、支持台の内部に湿気が溜まることなく、また、洗面室に設置する場合に、洗面室に、照明が遮られる部位が生じたり、風通しの悪い部位が生じたりするのを防止できる。
また、支持台４が枠体４によって構成され、天板２および洗面ボール３が透光性を有しているので、洗面化粧台１を洗面室に設置した場合に、照明の光が天板２、洗面ボール３、枠体４の開口部を透過するので、洗面室に照明が遮られる部位が生じるのを防止でき、また、枠体４の開口部を通して風が抜けるので、洗面室に風通しの悪い部位が生じるのを防止できる。
【０００８】
請求項２に記載の発明は、請求項１に記載の洗面化粧台において、
前記枠体４の内側には、透光性を有する棚板１５が設けられていることを特徴とする。
【０００９】
前記棚板１５は  例えば透明なガラスや樹脂等で形成されていてもよく、透明ではないが、透光性を有するすりガラス等のガラスや樹脂で形成されていてもよい。
【００１０】
請求項２に記載の発明によれば、枠体４の内側に設けられた棚板１５が透光性を有しているので、この棚板１５を照明の光が透過することができ、よって、棚板１５を設けても、洗面室に照明が遮られる部位が生じるのを防止できる。
【００１１】
請求項３に記載の発明は、請求項２に記載の洗面化粧台において、
前記天板２、洗面ボール３、棚板１５が透明であることを特徴とする。
【００１２】
請求項３に記載の発明によれば、天板２、洗面ボール３、棚板１５が透明であるので、洗面化粧台１の上方から内部に収納されている棚板１５上の物品や棚板１５の下方の物品を確認できる。
【００１３】
請求項４に記載の発明は、請求項２に記載の洗面化粧台において、
前記棚板１５の奥側の縁部と、前記支持台４の背面側との間に隙間が設けられており、
前記洗面ボール３の下部から下方に延出する排水管１７が前記隙間を通して、床側に延出していることを特徴とする。
【００１４】
請求項４に記載の発明によれば、棚板１５を通して排水管１７の下部を視認できるので、排水管１７の下部に不具合が生じた場合に、素早く対処できる。
【００１５】
請求項５に記載の発明は、請求項１〜４のいずれか一項に記載の洗面化粧台において、
前記支持台４の前面側には、水平バー１４が支持台４を構成する一対の縦フレーム６，６に架設されていることを特徴とする。
【００１６】
請求項５に記載の発明によれば、支持台４を構成する一対の縦フレーム６，６に水平バー１４が架設されているので、この水平バー１４によって支持台４を補強できるとともに、水平バー４にタオル等を掛けることができ、便利である。また、支持台４には側板、背板、前面板が存在しないので、水平バー１４に掛けられたタオル等の前後で風が吹き抜けて、該タオル等を素早く乾燥できる。
【発明の効果】
【００１７】
本発明によれば、天板を支持する支持台が、複数のフレームを組み立ててなる枠体によって構成されており、天板および洗面ボールが透光性を有しているので、支持台の内部に湿気が溜まることなく、しかも、洗面室に設置する場合に、洗面室に、照明が遮られる部位が生じたり、風通しの悪い部位が生じたりするのを防止できる。
【発明を実施するための最良の形態】
【００１８】
以下、図面を参照して本発明の実施の形態について説明する。
図１〜図３は本発明に係る洗面化粧台の一例を示すもので、図１は正面図、図２は側面図、図３は平面図である。
洗面化粧台１は、天板２とこの天板２に設けられた洗面ボール３と、天板２を支持する支持台４とを備えている。
【００１９】
天板２は矩形板状の透明な板ガラスで形成されたものであり、この天板２の略中央部に洗面ボール３が形成されている。洗面ボール３は平面視楕円形状に形成されており、その内面は凹曲面に形成されている。また、洗面ボール３は、透明なガラスで形成されており、天板２と一体成形となっている。
前記天板２の上面には、洗面ボール３の奥側において、水道栓５が取り付けられている。この水道栓５の下端部は天板２に形成された孔に挿通されており、該水道栓５の下端部には、水道管５ａと温水管５ｂとが接続されている。
【００２０】
前記支持台４は、複数のフレームを組み立ててなる枠体４によって構成されている。すなわち、枠体４は、４本の縦フレーム６を４角部に配置するとともに、左右の側面側においてそれぞれ横フレーム７，８，９をそれぞれ縦フレーム６，６の上端部、中央部、下端部にそれぞれ架設し、さらに、正面側において、横フレーム１０を縦フレーム６，６の下端部に架設し、背面側において、横フレーム１１，１２，１３をそれぞれ縦フレーム６，６の上端部、中央部、下端部にそれぞれ架設した構成となっている。したがって、支持台４には側板、背板、前面板が存在せず、フレーム間に設けられた開口部となっている。
【００２１】
また、支持台（枠体）４の正面側において、縦フレーム６，６の上端部には、水平バー１４が架設されている。この水平バー１４は枠体４の補強を兼ねるとともに、タオル等を掛けるためのものである。
支持台４の上面には、前記天板２が４本の足部２ａを介して設置されており、これによって天板２は支持台４によって下方から支持されている。
さらに、支持台４の内側には、棚板１５が設けられている。この棚板１５は、着色された透明なガラスによって形成されており、支持枠１６によって支持されている。この支持枠１６は平面視において矩形枠状のものであり、枠体４に固定されている。
また、棚板１５の奥側の縁部と、支持台１４の背面側との間には隙間が設けられており、前記洗面ボール３の下部から下方に延出する排水管１７は前記隙間を通して、床側に延出している。
【００２２】
上記のような洗面化粧台１によれば、天板２を支持する支持台４が枠体４によって構成されているので、この支持台４には側板、背板、前面板が存在せず、開口部となっている。したがって、内部に湿気が溜まるのを防止できる。
また、支持台４が枠体４によって構成され、天板２および洗面ボール３が透明であるのであるので、洗面化粧台１を洗面室に設置した場合に、照明の光が天板２、洗面ボール３、枠体４の開口部を透過するので、洗面室に照明が遮られる部位が生じるのを防止でき、また、枠体４の開口部を通して風が抜けるので、洗面室に風通しの悪い部位が生じるのを防止できる。
【００２３】
また、枠体４の内側に設けられた棚板１５が透明であるので、この棚板１５を照明の光が透過することができ、よって、棚板１５を設けても、洗面室に照明が遮られる部位が生じるのを防止できる。
さらに、天板２、洗面ボール３、棚板１５が透明であるので、洗面化粧台１の上方から内部に収納されている棚板１５上の物品や棚板１５の下方の物品を確認できる。
加えて、棚板１５を通して排水管１７の下部を視認できるので、排水管１７の下部に不具合が生じた場合に、素早く対処できる。
また、支持台４を構成する一対の縦フレーム６，６に水平バー１４が架設されているので、この水平バー１４によって支持台４を補強できるとともに、水平バー１４にタオル等を掛けることができ、便利である。また、支持台４には側板、背板、前面板が存在しないので、水平バー１４に掛けられたタオル等の前後で風が吹き抜けて、該タオル等を素早く乾燥できる。
【００２４】
なお、本実施の形態では、前記棚板１５を透明なものとしたが、これに限ることなく、透明ではないが、透光性を有するものとしてもよい。この場合、棚板１５の下方に収納した収納物が洗面化粧台１の上方から見えないように隠すことができる。
同様に、本実施の形態では、天板２、洗面ボール３を透明なものとしたが、これに限ることなく、透明ではないが、透光性を有するものとしてもよい。この場合、天板２および洗面ボール３の下方に収納した収納物が洗面化粧台１の上方から見えないように隠すことができる。
【図面の簡単な説明】
【００２５】
【図１】本発明に係る洗面化粧台の一例を示すもので、その正面図である。
【図２】同、洗面化粧台の側面図である。
【図３】同、洗面化粧台の平面図である。
【符号の説明】
【００２６】
１  洗面化粧台
２  天板
３  洗面ボール
４  支持台（枠体）
６  縦フレーム（フレーム）
７〜１３  横フレーム（フレーム）
１４  水平バー
１５  棚板
１７  排水管
【図１】
2006325941.tif 000003
【図２】
2006325941.tif 000004
【図３】
2006325941.tif 000005